(57)【要約】【課題】必要時には、抜き取り治具を用いて端子の抜き取り作業を確実に行うことができると共に、通常時には、相手側コネクタの端子を間違いなく端子収容室内の端子と接続させることができて、嵌合不良のおそれを無くすことのできるコネクタを提供する。【解決手段】互いに積層して合体される２つのコネクタハウジング２０、１０を有するコネクタにおいて、第２コネクタハウジング１０に、第１コネクタハウジング２０の端子収容室２１の前端を塞ぐコネクタ前壁１７が一体に形成されており、そのコネクタ前壁１７に開口された端子挿入口１８が、両コネクタハウジングが仮係止位置に保持されたときに、第１端子７０の前方から外れて、第１端子を係止する第１ランス２２の前方に位置するように設けられている。【選択図】図１２
2010170723.tif 000002
【特許請求の範囲】
【請求項１】
互いに積層して合体される第１コネクタハウジングと第２コネクタハウジングとを有し、前記第１コネクタハウジングの端子収容室内に、該端子収容室の後端から挿入された第１端子を抜け止め固定する可撓性の第１ランスが設けられ、前記端子収容室の前端を塞ぐコネクタ前壁に、前記第１端子の前方に位置して該第１端子に接続する相手側コネクタ端子を差し込むための端子挿入口が開口されたコネクタにおいて、
前記第１コネクタハウジングと第２コネクタハウジングとの間に、前記第１コネクタハウジングの端子収容室への第１端子の挿入を可能にする仮係止位置に前記第１コネクタハウジングと第２コネクタハウジングとを保持する仮係止手段と、前記仮係止位置から前記第１コネクタハウジングと第２コネクタハウジングとを更に押し込んだ本係止位置に保持する本係止手段と、が設けられ、
前記第２コネクタハウジングに、前記第１コネクタハウジングの端子収容室の前端を塞ぐコネクタ前壁が一体に形成されており、そのコネクタ前壁に開口された前記端子挿入口が、前記第１コネクタハウジングと第２コネクタハウジングが前記仮係止位置に保持されたときに、前記第１端子の前方から外れて、前記第１ランスの前方に位置するように設けられていることを特徴とするコネクタ。
【請求項２】
請求項１に記載のコネクタであって、
前記第２コネクタハウジングに、前記第１コネクタハウジングと第２コネクタハウジングを前記本係止位置に保持したとき、前記第１ランスによって抜け止めされている前記第１端子を更に二重に係止し、且つ、前記第１コネクタハウジングと第２コネクタハウジングを前記仮係止位置に保持したとき、前記第１端子に対する二重の係止を解除する第１二重係止部が設けられていることを特徴とするコネクタ。
【請求項３】
請求項１または２に記載のコネクタであって、
前記第２コネクタハウジングの端子収容室内に、該端子収容室の後端から挿入された第２端子を抜け止め固定する可撓性の第２ランスが設けられ、前記第１コネクタハウジングに、前記第１コネクタハウジングと第２コネクタハウジングを前記本係止位置に保持したとき、前記第２ランスによって抜け止めされている前記第２端子を更に二重に係止し、且つ、前記第１コネクタハウジングと第２コネクタハウジングを前記仮係止位置に保持したとき、前記第２端子に対する二重の係止を解除する第２二重係止部が設けられていることを特徴とするコネクタ。
【発明の詳細な説明】
【技術分野】
【０００１】
本発明は、端子の差し間違いなどによる端子の抜き取り作業を簡単にできるようにしたコネクタに関するものである。
【背景技術】
【０００２】
図１４は、例えば特許文献１に記載の従来のコネクタの断面図、図１５は同コネクタの正面図である。
【０００３】
図１４および図１５に示すように、コネクタは一般に、端子収容室１０２を有するコネクタハウジング１０１と、端子収容室１０２内に挿入される端子（図示例のものはメス端子）１１０とから構成されている。各端子収容室１０２の内部には可撓性のランス１０５が設けられており、端子１１０を後方から端子収容室１０２内に挿入すると、端子１１０はランス１０５を押し上げつつ所定位置まで達し、所定位置まで達した段階でランス１０５が元の位置に復元することにより、端子１１０はランス１０５によって後方への抜けを阻止される。
【０００４】
そして、端子収容室１０２の前端は一般に前壁１１７で塞がれており、前壁１１７に開口させてある端子挿入口１１８から、相手側コネクタ端子を差し込むことにより、端子収容室１０２内に収容した端子１１０と相手側コネクタ端子とを接続することができるようになっている。
【０００５】
ところで、端子の差し間違いなどが発生した場合には、端子１１０を抜き取る必要が生じる。その場合は、コネクタハウジング１０１の前壁１１７に設けた治具挿入孔１１９から抜き取り治具１２０を挿入して、ランス１０５を強制的に端子１１０との係合を解除し得る位置まで変形させ、その状態で端子１１０を後方に抜き取るようにしているのが一般的である。
【先行技術文献】
【特許文献】
【０００６】
【特許文献１】特開２００２−２５６７６号公報
【発明の概要】
【発明が解決しようとする課題】
【０００７】
しかし、抜き取り治具１２０を挿入するための治具挿入孔１１９が端子挿入口１１８の近くにあると、間違って相手側コネクタのオス端子が、その治具挿入孔１１９に入ってしまうことがあり、嵌合不良を引き起こすおそれがあった。
【０００８】
本発明は、上記事情を考慮し、必要時には、抜き取り治具を用いて端子の抜き取り作業を確実に行うことができると共に、通常時には、相手側コネクタの端子を間違いなく、端子収容室内の端子と接続させることができて、嵌合不良のおそれを無くすことのできるコネクタを提供することを目的とする。
【課題を解決するための手段】
【０００９】
請求項１の発明は、互いに積層して合体される第１コネクタハウジングと第２コネクタハウジングとを有し、前記第１コネクタハウジングの端子収容室内に、該端子収容室の後端から挿入された第１端子を抜け止め固定する可撓性の第１ランスが設けられ、前記端子収容室の前端を塞ぐコネクタ前壁に、前記第１端子の前方に位置して該第１端子に接続する相手側コネクタ端子を差し込むための端子挿入口が開口されたコネクタにおいて、前記第１コネクタハウジングと第２コネクタハウジングとの間に、前記第１コネクタハウジングの端子収容室への第１端子の挿入を可能にする仮係止位置に前記第１コネクタハウジングと第２コネクタハウジングとを保持する仮係止手段と、前記仮係止位置から前記第１コネクタハウジングと第２コネクタハウジングとを更に押し込んだ本係止位置に保持する本係止手段と、が設けられ、前記第２コネクタハウジングに、前記第１コネクタハウジングの端子収容室の前端を塞ぐコネクタ前壁が一体に形成されており、そのコネクタ前壁に開口された前記端子挿入口が、前記第１コネクタハウジングと第２コネクタハウジングが前記仮係止位置に保持されたときに、前記第１端子の前方から外れて、前記第１ランスの前方に位置するように設けられていることを特徴とする。
【００１０】
請求項２の発明は、請求項１に記載のコネクタであって、前記第２コネクタハウジングに、前記第１コネクタハウジングと第２コネクタハウジングを前記本係止位置に保持したとき、前記第１ランスによって抜け止めされている前記第１端子を更に二重に係止し、且つ、前記第１コネクタハウジングと第２コネクタハウジングを前記仮係止位置に保持したとき、前記第１端子に対する二重の係止を解除する第１二重係止部が設けられていることを特徴とする。
【００１１】
請求項３の発明は、請求項１または２に記載のコネクタであって、前記第２コネクタハウジングの端子収容室内に、該端子収容室の後端から挿入された第２端子を抜け止め固定する可撓性の第２ランスが設けられ、前記第１コネクタハウジングに、前記第１コネクタハウジングと第２コネクタハウジングを前記本係止位置に保持したとき、前記第２ランスによって抜け止めされている前記第２端子を更に二重に係止し、且つ、前記第１コネクタハウジングと第２コネクタハウジングを前記仮係止位置に保持したとき、前記第２端子に対する二重の係止を解除する第２二重係止部が設けられていることを特徴とする。
【発明の効果】
【００１２】
請求項１の発明によれば、端子を収容した状態で互いに合体した第１コネクタハウジングと第２コネクタハウジングを、本係止位置から仮係止位置に引き離すことにより、コネクタ前壁に開口された端子挿入口を、第１端子の前方から外れて第１ランスの前方に位置させることができるので、その端子挿入口に端子抜き取り治具の先端を差し込んで、治具の先端で第１ランスを強制的に変形させた状態にすることにより、端子を後方に抜き取ることができる。従って、治具を差し込むための専用の治具挿入孔をコネクタ前壁から無くすことができ、その結果、間違って治具挿入孔に相手側コネクタのオス端子を差し込んで、コネクタ嵌合不良を起こすようなことがなくなる。
【００１３】
請求項２の発明によれば、第１、第２コネクタハウジングを仮係止状態から本係止状態にした際に、第１二重係止部が第１端子を第１ランスと共に二重係止するので、より確実に第１コネクタハウジング内の第１端子の抜けを防ぐことができる。
【００１４】
請求項３の発明によれば、第１、第２のコネクタハウジングを仮係止状態から本係止状態にした際に、第２二重係止部が第２端子を第２ランスと共に二重係止するので、より確実に第２コネクタハウジング内の第２端子の抜けを防ぐことができる。
【図面の簡単な説明】
【００１５】
【図１】本発明の実施形態のコネクタを構成する第１コネクタハウジングと第２コネクタハウジングとが仮係止位置あるときの状態を示す側面図である。
【図２】図１のＩＩ−ＩＩ矢視断面図である。
【図３】（ａ）は同状態におけるコネクタの正面図、（ｂ）は（ａ）のＩＩＩｂ部の拡大図である。
【図４】（ａ）は図３（ａ）のＩＶａ−ＩＶａ矢視断面図、（ｂ）は（ａ）のＩＶｂ部の拡大図である。
【図５】前記第１コネクタハウジングと第２コネクタハウジングとが本係止位置にあるときの状態を示す側面図である。
【図６】図５のＶＩ−ＶＩ矢視断面図である。
【図７】（ａ）は同状態におけるコネクタの正面図、（ｂ）は（ａ）のＶＩＩｂ部の拡大図である。
【図８】（ａ）は図７（ａ）のＶＩＩＩａ−ＶＩＩＩａ矢視断面図、（ｂ）は（ａ）のＶＩＩＩｂ部の拡大図である。
【図９】前記第１コネクタハウジングと第２コネクタハウジングとが仮係止位置にある状態で抜き取り治具をコネクタ前壁に設けられた端子挿入口に差し込んだときの状態を示す側面図である。
【図１０】図９のＸ−Ｘ矢視断面図である。
【図１１】（ａ）は同状態におけるコネクタの正面図、（ｂ）は（ａ）のＸＩｂ部の拡大図である。
【図１２】（ａ）は図１１（ａ）のＸＩＩａ−ＸＩＩａ矢視断面図、（ｂ）は（ａ）のＸＩＩｂ部の拡大図である。
【図１３】抜き取り治具の先端でランスを変形させているときの状態を示す図で、（ａ）は図１２（ａ）に相当する図、（ｂ）は（ａ）のＸＩＩＩｂ部の拡大図である。
【図１４】従来例のコネクタの側断面図である。
【図１５】従来例のコネクタの正面図である。
【発明を実施するための形態】
【００１６】
以下、本発明の実施形態を図面を参照して説明する。
【００１７】
図１〜図４は実施形態のコネクタを構成する第１コネクタハウジングと第２コネクタハウジングとが仮係止位置あるときの状態を示す構成図、図５〜図８は第１コネクタハウジングと第２コネクタハウジングとが本係止位置にあるときの状態を示す構成図、図９〜図１２は第１コネクタハウジングと第２コネクタハウジングとが仮係止位置にある状態で抜き取り治具をコネクタ前壁に設けられた端子挿入口に差し込んだときの状態を示す構成図、図１３は抜き取り治具の先端でランスを変形させているときの状態を示す図である。
【００１８】
図１〜図１３に示すように、実施形態のコネクタは、第１コネクタハウジング２０と、第１コネクタハウジング２０の上側に積層した状態で合体される第２コネクタハウジング１０と、第１コネクタハウジング２０の内部に収容された第１端子７０と、第２コネクタハウジング１０の内部に収容された第２端子６０とから構成されている。第１端子７０はメス端子であり、前端入口７１（図４参照）から相手側コネクタのオス端子（図示せず）を受け入れることができるようになっている。
【００１９】
第１コネクタハウジング２０および第２コネクタハウジング１０には、前後方向（ここではコネクタ嵌合方向を前後方向という）に沿ってそれぞれ端子収容室２１、１１が設けられ、各端子収容室２１には、後方から挿入された第１、第２端子７０、６０を抜け止め固定する可撓性の第１、第２ランス２２、１２が設けられている。第１コネクタハウジング２０および第２コネクタハウジング１０の端子収容室２１、１１は、横一列に複数配列され、第１コネクタハウジング２０の端子収容室２１は、第１コネクタハウジング２０と第２コネクタハウジング１１の積層方向に多段（図示例では２段）に設けられている。
【００２０】
また、第１コネクタハウジング２０と第２コネクタハウジング１０の前後両側部には、第１コネクタハウジング２０と第２コネクタハウジング１０をロックするためのロックアーム１６とロック突起２７ａ、２７ｂとが設けられている。ロックアーム１６の先端にはロック爪１６ａが設けられており、このロック爪１６ａが、いずれかのロック突起２７ａ、２７ｂと係合することにより、第１コネクタハウジング２０と第２コネクタハウジング１０を、完全に合体させた本係止位置（図５〜図８の位置）と、途中まで合体させた仮係止位置（図１〜図４の位置）とに選択的に保持できるようになっている。
【００２１】
この場合、図６に示すように、ロック爪１６ａを第１ロック突起２７ａに係合させることにより、第１コネクタハウジング２０と第２コネクタハウジング１０を本係止位置に保持することができる。また、図２および図１０に示すように、ロック爪１６ａを第１ロック突起２７ａと第２ロック突起２７ｂの間に係合させることにより、第１コネクタハウジング２０と第２コネクタハウジング１０を仮係止位置に保持することができる。
【００２２】
従って、ロック爪１６ａとロック突起２７ａ、２７ｂの組み合わせにより、仮係止手段と本係止手段が構成されている。
【００２３】
また、第２コネクタハウジング１０には、第１コネクタハウジング２０と第２コネクタハウジング２０を本係止位置に保持したときに、第１ランス２１によって抜け止めされている第１端子７０を更に二重に係止し、且つ、第１コネクタハウジング２０と第２コネクタハウジング２０を仮係止位置に保持したときに、第１端子７０に対する二重の係止を解除する第１二重係止部１５が設けられている。この第１二重係止部１５は、第２コネクタハウジング２０の下側に突出して設けられており、第１コネクタハウジング２０に形成されたスライドスペース２５にスライド自在に挿入されている。
【００２４】
同様に、第１コネクタハウジング２０には、第１コネクタハウジング２０と第２コネクタハウジング１０を本係止位置に保持したときに、第２ランス１２によって抜け止めされている第２端子６０を更に二重に係止し、且つ、第１コネクタハウジング２０と第２コネクタハウジング１０を仮係止位置に保持したときに、第２端子６０に対する二重の係止を解除する第２二重係止部２４が設けられている。この第２二重係止部２４は、第１コネクタハウジング２０の上側に突出して設けられており、第２コネクタハウジング１０に形成されたスライドスペース１４にスライド自在に挿入されている。
【００２５】
そして、第１コネクタハウジング２０と第２コネクタハウジング１０を仮係止位置に保ったときに、第１、第２二重係止部１５、２４に邪魔されずに、各コネクタハウジング２０、１０の端子収容室１１、２１に、後方から第１、第２端子７０、６０をそれぞれ挿入できるようになっている。
【００２６】
また、このコネクタでは、第１コネクタハウジング２０の端子収容室２１の前端を塞ぐコネクタ前壁１７が第１コネクタハウジング２０側にではなく、第２コネクタハウジング１０側に一体に設けられている。このコネクタ前壁１７には、第１コネクタハウジング２０の端子収容室２１に収容されている第１端子７０の前方に位置することで、第１端子７０に接続する相手側コネクタのオス端子を差し込むための端子挿入口１８が開口されており、その端子挿入口１８が、第１コネクタハウジング２０と第２コネクタハウジング１０が仮係止位置に保持されたときに、第１端子７０の前方から外れて、第１ランス２２の前方に位置するように設けられている。
【００２７】
次に組立手順について述べる。
【００２８】
このコネクタを組み立てる場合は、まず、図１〜図４に示すように、第１コネクタハウジング２０の上側に第２コネクタハウジング１０を載せて、第２コネクタハウジング１０側のロックアーム１６のロック爪１６ａを、第１コネクタハウジング２０側の第１ロック突起２７ａと第２ロック突起２７ｂの間に係合させることにより、第１コネクタハウジング２０と第２コネクタハウジング１０を仮係止位置に保つ。
【００２９】
そして、その状態で、第１コネクタハウジング２０の端子収容室２１に後方から第１端子７０を挿入すると共に、第２コネクタハウジング１０の端子収容室１１に後方から第２端子６０を挿入する。このとき、第１、第２二重係止部１５、２４は、端子７０、６０の挿入を邪魔しない位置にある。
【００３０】
端子７０、６０を挿入すると、端子７０、６０に押されてランス２２、１２が撓み変形し、端子７０、６０の通過を許す。更に端子７０、６０を挿入すると、端子７０、６０が端子収容室１１、２１の前端に到達すると共に、ランス２２、１２が撓み位置から復元して、ランス２２、１２の先端が端子７０、６０に係合し、これにより、端子７０、６０が後方へ抜け止めされる（一次係止）。
【００３１】
端子７０、６０を挿入したら、図５〜図８に示すように、第１コネクタハウジング２０に対して第２コネクタハウジング１０を押し込むことにより、第２コネクタハウジング１０側のロックアーム１６のロック爪１６ａを、第１コネクタハウジング２０側の第１ロック突起２７ａに係合させる。そうすると、第１コネクタハウジング２０と第２コネクタハウジング１０とが本係止される。
【００３２】
また、この状態において、第２コネクタハウジング１０側に設けた第１の二重係止部１５が、第１端子７０の凹部などに進入して、第１端子７０の二重係止を行い、第２コネクタハウジング２０側に設けた第２二重係止部２４が、第２端子６０の凹部などに進入して、第２端子６０の二重係止を行う。これにより、コネクタが完成する。
【００３３】
また、このように本係止した後で第１端子７０を外す必要が生じた場合は、図９〜図１２に示すように、第１コネクタハウジング２０に対して第２コネクタハウジング１０を仮係止位置に戻す。即ち、本係止状態にある第１コネクタハウジング２０と第２コネクタハウジング１０を引き離して、ロックアーム１６のロック爪１６ａを第１ロック突起２７ａと第２ロック突起２７ｂの間に係合させる。
【００３４】
そうすると、第１二重係止部１５による二重係止が外れると共に、コネクタ前壁１７が第１コネクタハウジング２０に対して相対移動することにより、コネクタ前壁１７に設けてある端子挿入口１８が、第１端子７０の前方を外れて、同第１端子７０を係止している第１ランス２２の前方に位置することになる。
【００３５】
そこで、図９〜図１２および図１３に示すように、その端子挿入口１８に端子抜き取り治具Ｊの先端を差し込んで、治具Ｊの先端で第１ランス２２を強制的に変形させた状態にする。そうすることにより、第１端子７０を後方に抜き取ることができる。
【００３６】
従って、治具Ｊを差し込むための専用の治具挿入孔をコネクタ前壁１７から無くすことができ、その結果、間違って治具挿入孔に相手側コネクタのオス端子を差し込んで、コネクタ嵌合不良を起こすようなことがなくなる。
【００３７】
また、第１、第２コネクタハウジング２０、１０を仮係止状態から本係止状態にした際に、第１、第２二重係止部１５、２４が第１端子７０および第２端子６０をランス２２、１２と共に二重係止するので、より確実に各コネクタハウジング２０、１０内の端子７０、６０の抜けを防ぐことができる。
【符号の説明】
【００３８】
１０  第２コネクタハウジング
１１  端子収容室
１２  第２ランス
１５  第１二重係止部
１６ａ  ロック爪（本係止手段、仮係止手段、ランス解除用係止手段）
１７  コネクタ前壁
１８  端子挿入口
２０  第１コネクタハウジング
２１  端子収容室
２２  第１ランス
２４  第２二重係止部
２７ａ  第１ロック突起（本係止手段、仮係止手段）
２７ｂ  第２ロック突起（仮係止手段）
６０  第２端子
７０  第１端子
Ｊ  抜き取り治具
【図１】
2010170723.tif 000003
【図２】
2010170723.tif 000004
【図３】
2010170723.tif 000005
【図４】
2010170723.tif 000006
【図５】
2010170723.tif 000007
【図６】
2010170723.tif 000008
【図７】
2010170723.tif 000009
【図８】
2010170723.tif 000010
【図９】
2010170723.tif 000011
【図１０】
2010170723.tif 000012
【図１１】
2010170723.tif 000013
【図１２】
2010170723.tif 000014
【図１３】
2010170723.tif 000015
【図１４】
2010170723.tif 000016
【図１５】
2010170723.tif 000017